(57)【要約】【課題】エスカレーターの周囲に無線通信環境を悪くする防火シャッタが隣接設置されていても、回線の使用可否状態を確認するための回線チェック通信を確実に実施し得ること。【解決手段】エスカレーターの異常を検出し異常通報を行う監視装置と、監視装置に接続され遠隔監視センタとの間で公衆無線回線網を経由して無線通信を行う無線通信装置と、を備えたエスカレーターの監視システムにおいて、監視装置は、エスカレーターの起動検出Ｔ１を基にして所定時間の経過後Ｔ２に、公衆無線回線網における回線の使用可否状態を確認するための回線チェック通信を無線通信装置に対して送信Ｔ３すること。上記のエスカレーターの起動検出は、エスカレーターに隣接設置された防火シャッタの開動作後におけるエスカレーター起動用スイッチＳ１の起動信号Ｓ２によってなされること。 【選択図】図２
2014214019.tif 000002
【特許請求の範囲】
【請求項１】
エスカレーターの異常を検出し異常通報を行う監視装置と、前記監視装置に接続され遠隔監視センタとの間で公衆無線回線網を経由して無線通信を行う無線通信装置と、を備えたエスカレーターの監視システムにおいて、
前記監視装置は、前記エスカレーターの起動検出を基にして所定時間の経過後に、前記公衆無線回線網における回線の使用可否状態を確認するための回線チェック通信を前記無線通信装置に対して送信する
ことを特徴とするエスカレーターの監視システム。
【請求項２】
請求項１において、
前記エスカレーターの起動検出は、エスカレーターに隣接設置された防火シャッタの開動作後におけるエスカレーター起動用スイッチの起動信号によってなされることを特徴とするエスカレーターの監視システム。
【発明の詳細な説明】
【技術分野】
【０００１】
本発明は、エスカレーターの監視装置と遠隔監視センタとの間で無線通信公衆回線を介してデータ通信するエスカレーターの監視システムに関する。
【背景技術】
【０００２】
従来、エスカレーターの監視システムは、エスカレーターの異常を検出した監視装置から有線式の公衆回線網を経由して監視センタへ通報するものが知られている。ところで、既設のエスカレーターに監視装置を設置する場合、従来の有線式公衆回線網を使用していると、既設のビル内に通信線を新設しなければならず、工事期間や工事費用が増大するという課題が発生する。
【０００３】
そこで、上記の課題を解決するために、従来技術として、例えば、特許文献１には、乗客コンベアの筐体に設けた操作器（操作盤）に無線通信機のアンテナを取り付けて、ＰＨＳ（登録商標）等の公衆無線回線網を使用して、ビル管理者等の無線通信装置と通信することが提案されている。
【０００４】
また、例えば、特許文献２には、公衆無線回線網を使用して遠隔監視を行う遠隔監視システムにおいて、公衆無線回線網に接続する無線通信機の平面型アンテナをエスカレーター乗り口のポールに設置して、遠隔のＰＨＳ公衆基地局と通信可能とすることが提案されている。
【先行技術文献】
【特許文献】
【０００５】
【特許文献１】特開２００２−１４５５７０号公報
【特許文献２】特開２００７−１７２９号公報
【発明の概要】
【発明が解決しようとする課題】
【０００６】
しかしながら、上述した特許文献１や特許文献２に係る技術では、エスカレーター周囲を防火区画（防火区域）として区画する防火シャッタが閉じていると、周囲の無線通信環境が影響を受け、操作盤又はエスカレーター乗り口のポールに設置したアンテナと無線通信公衆基地局及び公衆回線網による公衆無線回線網との間のデータ通信が妨げられ、監視装置と遠隔監視センタとの間のデータ通信を正常に行うことができないという課題を生じる。
【０００７】
本発明の目的は、エスカレーターの周囲に防火シャッタが隣接設置されていても、公衆無線回線網における回線の使用可否状態を確認するための回線チェック通信を実行した上で確実に無線データ通信を行うことのできるエスカレーターの監視システムを提供することにある。
【課題を解決するための手段】
【０００８】
前記課題を解決するために、本発明は次のような構成を採用する。  
エスカレーターの異常を検出し異常通報を行う監視装置と、前記監視装置に接続され遠隔監視センタとの間で公衆無線回線網を経由して無線通信を行う無線通信装置と、を備えたエスカレーターの監視システムにおいて、前記監視装置は、前記エスカレーターの起動検出を基にして所定時間の経過後に、前記公衆無線回線網における回線の使用可否状態を確認するための回線チェック通信を前記無線通信装置に対して送信する構成とする。
【０００９】
また、前記エスカレーターの監視システムにおいて、前記エスカレーターの起動検出は、エスカレーターに隣接設置された防火シャッタの開動作後におけるエスカレーター起動用スイッチの起動信号によってなされること。
【発明の効果】
【００１０】
本発明よれば、防火シャッタの開状態におけるエスカレーターの起動後に回線チェック通信を実施することにより、無線通信装置と遠隔監視センタとの無線データ通信を確実に実行することができる。
【図面の簡単な説明】
【００１１】
【図１】本発明の実施形態に係るエスカレーターの監視システムの全体構成を示すブロック図である。
【図２】本実施形態に係るエスカレーターの監視システムにおける回線チェック通信を含めた動作処理を示すフローチャートである。
【発明を実施するための形態】
【００１２】
本発明の実施形態に係るエスカレーターの監視システムについて、図１と図２を参照しながら以下説明する。図１は本発明の実施形態に係るエスカレーターの監視システムの全体構成を示すブロック図であり、図１において、１はエスカレーター、２は起動スイッチ、３は制御装置、４は監視装置、５は無線通信装置、６は無線通信公衆基地局、７は公衆回線網、８は遠隔監視センタ、１０，１１は防火シャッタ、をそれぞれ表す。
【００１３】
本実施形態に係るエスカレーターの監視システムは、エスカレーター１と、エスカレーター１を起動及び停止する起動スイッチ２と、起動スイッチ２の入力信号によりエスカレーター１を起動及び停止する制御装置３と、制御装置３からのエスカレーター制御信号を受信しエスカレーター１の異常を監視する監視装置４と、監視装置４に接続された無線通信装置５と、を基本的構成としている。
【００１４】
また、広義のエスカレーターの監視システムは、無線通信装置５と公衆無線回線網を成す無線通信公衆基地局６と、公衆回線網７を経由してデータ通信が可能な遠隔監視センタ８と、から成り立っている。また、エスカレーター１の上下乗場には、エスカレーター周囲の防火区画（防火区域）から区画するため、防火シャッタ１０，１１が設置されている。
【００１５】
エスカレーターの監視システムの動作の概略を述べると、エスカレーター１の不図示の安全装置が動作し、安全装置動作信号が制御装置３に入力され、監視装置４は制御装置３からの受信信号により、エスカレーター１の安全装置動作を検出し、エスカレーターの異常通報を無線通信装置５を通して、無線通信公衆基地局６及び公衆回線網７を経由し遠隔監視センタ８に通報する。遠隔監視センタ８の管制員は、安全装置動作による異常通報によりエスカレーター１が非常停止したことを知り、エスカレーター１の担当営業所に安全装置を復旧させるように作業者の出動を指示することとなる。
【００１６】
通常、上述したように無線通信装置５と無線通信公衆基地局６及び公衆回線網７からなる無線回線網を使用する遠隔監視システムでは、公衆無線回線網における回線の使用可否状態を確認するための回線チェック通信を定期的に実施している。
【００１７】
一方、エスカレーターにおいては、エスカレーター周囲の防火区画（防火区域）から区画するため、エスカレーターの両側面を不燃壁で囲い、夜間及び火災時にエスカレーターの上下乗場を防火シャッタで閉鎖して区画している。エスカレーターが防火シャッタで閉鎖されているときに、上述した回線チェック通信を実施しようとすると、無線通信装置５から発する無線電波が防火シャッタ１０，１１で遮断され通信エラーが発生することがある。
【００１８】
百貨店やマーケット等で開店準備のために、係員が防火シャッタ１０，１１を上昇させ、エスカレーター１を起動するために起動スイッチ２を操作する。このように、エスカレーター１が１日の開店前に起動するときには、係員によって防火シャッタ１０，１１は開放されている。本実施形態においては、監視装置４は、起動スイッチ２及び制御装置３からエスカレーター起動信号を受信した後、予め定めた時間経過後に回線チェック通信を実施することにする。
【００１９】
そうすると、監視装置４での回線チェック通信の実施を基に無線通信装置５による回線チェック通信の送信時には、防火シャッタ１０，１１により無線通信を遮断させられることは無い。
【００２０】
換言すると、エスカレーター１の防火シャッタ１０，１１が閉状態のときエスカレーター１は起動不能であり（起動スイッチ２を操作してもエスカレーターは起動しない）、百貨店又はマーケット等の開店前にエスカレーターをスイッチ操作によって起動させるときは、必ず防火シャッタ１０，１１は開状態である。従って、防火シャッタの開いた状態でのエスカレーター起動後に監視装置によって回線チェック通信を実施することにより、確実に無線通信を実行することができる。
【００２１】
次に、本実施形態に係るエスカレーターの監視システムにおける回線チェック通信を含めた動作処理について、図２を参照しながら以下説明する。図２において、エスカレーター１の制御装置３の起動処理手順をＳ、監視装置４の回線チェック通信の送信処理手順をＴ、監視センタ８の回線チェック通信の受信処理手順をＵと記述し、その後に処理手順の番号を記述する。
【００２２】
まず、最初に、百貨店やマーケット等で開店準備のため係員によって、エスカレータ１の前後に設けられた防火シャッタ１０，１１が上昇動作させられ、Ｓ１でエスカレーター１を起動するために起動スイッチ２が操作される。
【００２３】
制御装置３は、Ｓ１で起動スイッチ２が操作されなければ（Ｓ１でＮＯ）、繰返しＳ１を実施する。Ｓ１で起動スイッチ２が操作されれば（Ｓ１でＹＥＳ）、Ｓ２でエスカレーター１が起動される。このとき、制御装置３は、エスカレーター１の起動信号を監視装置４に送信し、処理を終了する。
【００２４】
監視装置４は、Ｔ１でエスカレーター１の起動信号を制御装置３から受信する。起動信号を受信しなければ（Ｔ１でＮＯ）、繰返しＴ１を実施する。Ｔ１で起動信号を受信すれば（Ｔ１でＹＥＳ）、Ｔ２で起動信号受信後の経過時間を計測する。所定時間経過しなければ（Ｔ２でＮＯ）、繰返しＴ２を実施する。所定時間経過すれば（Ｔ２でＹＥＳ）、Ｔ３で回線チェック通信を無線通信装置５、無線通信公衆局６、公衆回線網７を経由して監視センタ８に送信し、処理を終了する。
【００２５】
監視センタ８は、Ｕ１で監視装置４からの回線チェック通信を受信する。回線チェック通信を受信しなければ（Ｕ１でＮＯ）、繰返しＵ１を実施する。回線チェック通信を受信すれば（Ｕ１でＹＥＳ）、Ｕ２で監視装置４からの回線チェック通信を受信したことを図示しない記録装置に記録し、処理を終了する。
【００２６】
本発明は、百貨店やマーケット等で開店準備のため係員によって、エスカレータ１の前後の設けられた防火シャッタ１０，１１が開放されて、エスカレーター１を起動して予め定めた時間経過後に、回線チェック通信を実施するようにしたので、回線チェック通信は防火シャッタ１０，１１により無線通信を遮断させられることは無く、確実に実施することができる。
【００２７】
なお、本実施形態に示す技術思想は、適用対象としてエスカレータに限らず、開閉可能な防火シャッタを周辺に敷設されたエレベータや乗客コンベアの監視システムにも適用可能である。
【符号の説明】
【００２８】
１  エスカレーター
２  起動スイッチ
３  制御装置
４  監視装置
５  無線通信装置
６  無線通信公衆基地局
７  公衆回線網
８  遠隔監視センタ
１０，１１  防火シャッタ
【図１】
2014214019.tif 000003
【図２】
2014214019.tif 000004